(57)【特許請求の範囲】
【請求項１】
通信手段を備える通信端末装置を設置する設置装置であって、
前記通信手段の通信状況を検出する通信検出手段と、
この通信検出手段によって検出された通信状況を示す出力信号を出力する出力手段と、
前記通信検出手段による通信状況の検出結果に基づいて、当該設置装置側の形態を変更することによって、前記通信状況を変更する変更手段と、
を具備したことを特徴とする設置装置。
【請求項２】
前記出力手段は、前記通信検出手段によって困難な通信状況であることが検出された場合に、その困難である旨を示す出力信号を出力する、
ようにしたことを特徴とする請求項１に記載の設置装置。
【請求項３】
前記出力手段によって出力された出力信号に基づいて報知を行う報知手段を更に備え、
前記出力手段は、前記通信状況を示す出力信号を前記報知手段に対して出力する、
ようにしたことを特徴とする請求項１または２に記載の設置装置。
【請求項４】
前記通信端末装置の設置に応じて前記通信手段から出力される通信状況を示す出力信号を受信する受信手段を更に備え、
前記通信検出手段は、前記受信手段によって受信された出力信号に基づいて前記通信手段の通信状況を検出する、
ようにしたことを特徴とする請求項１から３のいずれかに記載の設置装置。
【請求項５】
前記通信端末装置の設置を検出する設置検出手段を更に備え、
前記出力手段は、前記設置検出手段によって通信端末装置の設置が検出された際に、前記通信状況を示す出力信号を出力する、
ようにしたことを特徴とする請求項１から４のいずれかに記載の設置装置。
【請求項６】
前記出力手段による出力を指示する指示手段を更に備え、
前記出力手段は、前記指示手段によって報知を指示された場合に、前記通信状況を示す出力信号を出力する、
ようにしたことを特徴とする請求項１から５のいずれかに記載の設置装置。
【請求項７】
前記変更手段は、前記通信検出手段による通信状況の検出結果に基づいて、前記通信端末装置のアンテナに対する外部拡張用の外部アンテナを伸長または／及び回転させるか、前記通信端末装置が載置される台座を伸長または／及び回転させることで、前記通信状況を変更する、
ようにしたことを特徴とする請求項１から６のいずれかに記載の設置装置。
【請求項８】
通信端末装置が設置される設置装置のコンピュータに対して、
前記通信端末装置側に備えられている通信手段の通信状況を検出する機能と、
前記検出された通信状況を示す出力信号を出力する機能と、
前記通信状況の検出結果に基づいて、当該設置装置側の形態を変更することによって、前記通信状況を変更する機能と、
を実現させるためのプログラム。
【発明の詳細な説明】
【技術分野】
【０００１】
本発明は、設置装置及びプログラムに関する。
【背景技術】
【０００２】
一般に、携帯電話機などの通信端末装置では、表示部全体に画像を表示するなどの一部の例外を除き、音声通信やメール通信などの無線通信の通信状況を示すアイコンを常時表示することが多い。また、地上波デジタル放送などのテレビ番組やラジオ番組の放送受信機能を備え、その通信状況を示すアイコンを常時表示しているものもある。このような通信状況を示すアイコン以外にも、例えば、電池残量を示すアイコン、メールの着信を示すアイコン、日時情報を示すアイコンなど、様々なアイコンを表示している。
【０００３】
しかしながら、アイコンを常時表示していると、ユーザはいつでも通信状況を確認できる反面、見慣れるなどで通信状況を気にかけなくなってしまうことが起こる。また、様々なアイコンを常時表示する場合、それらのアイコンとの表示のバランスを考慮して、それぞれのアイコンの表示サイズが小さくなったり、表示位置がお互いに近くなったりしてしまうため、ユーザが通信状況のみを確認することが困難になってしまう。
【０００４】
そこで、従来では、通信状況の常時表示を行わず、着信時に通信不可能な状態であれば、その旨を通知するようにした無線携帯端末装置が開示されている（特許文献１参照）。この無線携帯端末装置では、着信があると、充電台に設置（載置）されているか否かを判断し、設置されている場合には、充電が十分に行われている通話可能な状態であるか否かを判断し、充電が十分でなく通話不可能な状態であれば、その旨を通知するようにしている。
【先行技術文献】
【特許文献】
【０００５】
【特許文献１】特開平０８−０７９８３４号公報
【発明の概要】
【発明が解決しようとする課題】
【０００６】
しかしながら、上述のような無線携帯端末装置では、ユーザは着信があったときに通信不可能な状態を知り得たとしても、事前に着信不可能であるかを知ることはできない。また、この無線携帯端末装置の技術を放送受信に適用したものとすると、予約録画時刻になった際に、充電台に設置されているか否かを判断し、設置されていれば、充電が十分に行われているか、つまり、録画可能な状態であるか否かを判断し、充電が十分でなく録画不可能な状態であれば、その旨を通知するようにすることが考えられるが、予約録画時刻になったときにユーザが近くにいなければ、録画不可能な状態のままとなってしまう。
【０００７】
そこで本発明は、通信端末装置の通信状況を適切なタイミングで出力できる設置装置及びプログラムを提供することを目的とする。
【課題を解決するための手段】
【０００８】
本発明の設置装置は、通信手段を備える通信端末装置を設置する設置装置であって、前記通信手段の通信状況を検出する通信検出手段と、この通信検出手段によって検出された通信状況を示す出力信号を出力する出力手段と、前記通信検出手段による通信状況の検出結果に基づいて、当該設置装置側の形態を変更することによって、前記通信状況を変更する変更手段と、を具備したことを特徴とする設置装置である。
【０００９】
本発明のプログラムは、通信端末装置が設置される設置装置のコンピュータに対して、設置される通信端末装置側に備えられている通信手段の通信状況を検出する機能と、前記検出された通信状況を示す出力信号を出力する機能と、前記通信状況の検出結果に基づいて、当該設置装置側の形態を変更することによって、前記通信状況を変更する機能と、を実現させるためのプログラムである。
【発明の効果】
【００１０】
この発明によれば、通信端末装置の通信状況を適切なタイミングで出力することができ、その通信状況に応じた対処が可能となる。
【図面の簡単な説明】
【００１１】
【図１】通信端末装置として適用した携帯電話機が利用可能な通信ネットワークシステムを示したブロック図。
【図２】携帯電話機１の基本的な構成要素を示したブロック図。
【図３】充電台８の基本的な構成要素を示したブロック図。
【図４】携帯電話機１の外観図。
【図５】充電台８の外観図。
【図６】通話履歴記憶部Ｍ２を説明するための図。
【図７】メール記憶部Ｍ３を説明するための図。
【図８】予約情報記憶部Ｍ４を説明するための図。
【図９】予約情報記憶部Ｍ４を説明するための図。
【図１０】出力タイミング記憶部Ｍ６を説明するための図。
【図１１】出力条件記憶部Ｍ７を説明するための図。
【図１２】充電予定時間算出情報記憶部Ｍ８を説明するための図。
【図１３】変更情報記憶部Ｍ９を説明するための図。
【図１４】携帯電話機１の全体動作を示したフローチャート。
【図１５】接続処理（図１４のステップＡ８）を詳述するためのフローチャート。
【図１６】出力条件が“毎回”の場合に実行開始される出力処理Ａ（図１５のステップＢ８）を詳述するためのフローチャート。
【図１７】出力条件が“毎回”以外の場合に実行開始される出力条件判別処理（図１５のステップＢ９）を詳述するためのフローチャート。
【図１８】図１７の動作に続くフローチャート。
【図１９】図１８の動作に続くフローチャート。
【図２０】出力条件判別処理（図１５のステップＢ９）の終了後に実行開始される出力処理Ｂ（図１５のステップＢ１０）を詳述するためのフローチャート。
【図２１】困難な通信状況の場合に実行開始される通信状況変更処理（図１５のステップＢ１２）を詳述するためのフローチャート。
【図２２】通信状況変更処理後に実行開始される出力処理Ｃ（図１５のステップＢ１３）を詳述するためのフローチャート。
【図２３】充電台８の全体動作を示したフローチャート。
【発明を実施するための形態】
【００１２】
以下、図１〜図２３を参照して本発明の実施形態を説明する。
この実施形態は、通信端末装置として携帯電話機、外部装置及び設置装置として充電台、さらに外部装置として充電ケーブルにそれぞれに適用した場合を例示したもので、図１は、携帯電話機が利用可能な通信ネットワークシステムを示したブロック図である。
携帯電話機１は、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、デジタルラジオ放送（例えば、サンセグ地上デジタルラジオ放送）を受信可能なラジオ放送受信機能、受信した放送番組の予約記録を行う予約機能、記録された番組内容を再生出力する再生機能など、各種の機能を備えている。
【００１３】
携帯電話機１は、最寄りの基地局２Ａ、交換機２Ｂから無線通信網（移動体通信網）２に接続されると、この無線通信網２を介して他の携帯電話機１との間で通話可能状態となる。また、携帯電話機１は、無線通信網２を介してメール管理装置３に接続されると、電子メールの送受信が可能となる。また、携帯電話機１は、無線通信網２を介してインターネット４に接続されると、Ｗｅｂサイトをアクセスして閲覧可能な状態となる。また、携帯電話機１は、テレビ局・ラジオ局５から送信基地局６を介して発信された地上波デジタル放送を受信することができる。なお、インターネットラジオのように無線通信網２、インターネット４を介してテレビ・ラジオ番組情報サーバ（図示せず）からデジタル放送をダウンロード受信することもできる。
【００１４】
携帯電話機１は、デジタルテレビ放送を受信すると、この受信した放送番組を映像データ、音声データなどに分離して出力したり、受信した放送番組を記録したりし、また、デジタルラジオ放送を受信すると、この放送の番組を音声出力したり、受信した放送の番組を記録したりする。一方、携帯電話機１は、その二次電池（図示せず）への充電時に、外部装置である充電ケーブル７に直接接続されたり、外部装置である充電台８を介して充電ケーブル７に接続されたりすると、外部装置（充電ケーブル７、充電台８、以下、同様）に接続されたことを検出するようにしている。充電台８は、例えば、ＡＣ電源に接続された充電機能及びデータ通信機能を備えたクレードルで、携帯電話機１が設置（接続）された際に、携帯電話機１側の二次電池に対して充電を行ったり、携帯電話機１との間でデータ通信を行ったりする。
【００１５】
図２は、携帯電話機１の基本的な構成要素を示したブロック図である。
中央制御部１１は、記憶部１２内の各種のプログラムに応じてこの携帯電話機１の全体動作を制御する中央演算処理装置、メモリなどを有している。記憶部１２は、図１４〜図２２に示す動作手順に応じて本実施形態を実現するためのプログラムが格納されているプログラム記憶部Ｍ１のほか、後述する通話履歴記憶部Ｍ２、メール記憶部Ｍ３、予約情報記憶部Ｍ４、充電履歴記憶部Ｍ５、出力タイミング記憶部Ｍ６、出力条件記憶部Ｍ７、充電予定時間算出情報記憶部Ｍ８、変更情報記憶部Ｍ９などが設けられている。
【００１６】
無線通信部１３は、無線部、ベースバンド部、多重分離部のなどを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１４を介して送話スピーカＳＰから音声出力させ、また、受話マイクＭＣからの入力音声データを音声信号処理部１４から取り込み、送信ベースバンド信号に符号化したのち、ベースバンド部の送信側に与えてアンテナ部１５から発信出力させる。
【００１７】
放送受信部１６は、テレビ放送受信部とラジオ放送受信部とを有し、それらを個別に起動可能なもので、携帯電話機などの通信端末装置向けの地上波デジタルテレビ放送、地上波デジタルラジオ放送と共に、電子番組表（ＥＰＧ）などの番組情報も含めて受信可能となっている。この放送通信部１６は、上述のアンテナ部１５に接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００１８】
アンテナ部１５は、無線通信用と放送受信用として兼用可能なもので、手動・自動で伸縮・回転自在な構成となっており、その基端部はアンテナ可動部１７に連結されている。アンテナ可動部１７は、アンテナ部１５を伸縮・回転させる機構部（電動モータ、ギアなど）を有し、中央制御部１１の制御下でアンテナ部１５を伸縮させたり、回転させたりすることで、その通信状況が良くなるようにアンテナ部１５の長さ・方向を変更するようにしている。なお、アンテナ部１５は、無線通信用と放送受信用を兼用した構成でなく、無線通信用と放送受信用が別々の構成でもよい。
【００１９】
表示部１８は、高精細液晶あるいは有機ＥＬなどを使用し、例えば、文字情報、待受画像、テレビ映像などを表示させる。操作部１９は、ダイヤル入力、文字入力、コマンド入力などを入力するもので、中央制御部１１は、入力操作信号に応じた処理を実行する。ＲＴＣ（リアルタイムクロックモジュール）２０は、時計部を構成するもので、中央制御部１１は、ＲＴＣ２０から現在日時を取得する。報知部２１は、サウンドスピーカ２１Ａ、ＬＥＤ（発光ダイオード）２１Ｂ、振動モータ２１Ｃを備え、着信時に駆動されて着信報知を行うほか、アラーム報知時などでも駆動される。
【００２０】
ヒンジ可動部２２は、携帯電話機１を構成する２つの筐体１Ａ、１Ｂ（図４参照）を折り畳み可能及び回転可能に連結するヒンジ部１Ｃ（図４参照）に連結されていて、このヒンジ部１Ｃを可動させるための機構部（電動モータ、ギアなど）を有し、中央制御部１１の制御下でヒンジ部１Ｃを回転駆動させることで、２つの筐体１Ａ、１Ｂの連結状態に応じて携帯電話機１の形態（スタイル）を変更するようにしたものである。充電台接続部２３は、充電台８の接点と接続されるコネクタ部で、携帯電話機１を設置した際に、充電台接続部２３と充電台８の接点とが接続され、電池部２４の二次電池への充電が行われる。充電ケーブル接続部２５は、ＡＣ電源に接続された充電ケーブル７が直接接続されるコネクタ部である。
【００２１】
図３は、充電台８の基本的な構成要素を示したブロック図である。
中央制御部３１は、記憶部３２内の各種のプログラムに応じてこの充電台８の全体動作を制御する中央演算処理装置などを有している。記憶部３２は、図に示す動作手順に応じて本実施形態を実現するためのプログラムが格納されているプログラム記憶部Ｍ１０などを有している。中央制御部３１は、携帯電話機接続部３３に携帯電話機１が設置（接続）された際に、充電ケーブル接続部３４が充電ケーブル７を介してＡＣ電源に接続されていることを条件に、携帯電話機接続部３３を介して携帯電話機１への給電を開始するほか、携帯電話機１との間で通信可能な状態となる。また、中央制御部３１は、携帯電話機１から出力された信号を受信すると、その受信内容に応じて表示部３５にメッセージを表示させたり、外部アンテナ可動部３６を駆動したり、台座可動部３７を駆動したりする。
【００２２】
外部アンテナ可動部３６は、外部アンテナ部３８の基端部に連結されていて、外部アンテナ部３８を伸縮・回転させる機構部（電動モータ、ギアなど）を有し、中央制御部３１の制御下でその外部アンテナ部３８を伸縮させたり、回転させたりすることで、その通信状況が良くなるように外部アンテナ部３８の長さ・方向を変更するようにしている。外部アンテナ部３８は、携帯電話機１側のアンテナ部１５に対する外部拡張用として設けられ、無線通信用と放送受信用として兼用可能なもので、手動・自動で伸縮・回転自在な構成となっており、中央制御部３１は、携帯電話機１から所定の出力信号を受信した際に、携帯電話機１からの指示にしたがって外部アンテナ可動部３６を駆動させるようにしている。なお、外部アンテナ部３８は、無線通信用と放送受信用を兼用した構成でなく、無線通信用と放送受信用が別々の構成でもよい。
【００２３】
台座可動部３６は、充電台８を構成する本体８Ａ（図５参照）に対して回転可能・伸縮可能に取り付けられた台座８Ｂ（図５参照）を駆動するもので、この台座８Ｂを伸縮・回転させる機構部（電動モータ、ギアなど）を有し、中央制御部３１の制御下で台座８Ｂを伸縮させたり、回転させたりすることで、通信状況が良くなるように台座８Ｂの高さ・方向を変更するようにしている。中央制御部３１は、携帯電話機１から所定の出力信号を受信した際に、携帯電話機１からの指示にしたがって台座可動部３６を駆動させるようにしている。また、中央制御部３１は、携帯電話機１が設置（接続）されている状態において操作部３９からの入力操作信号に応じた処理を実行する。
【００２４】
図４は、携帯電話機１の外観図である。
携帯電話機１は、それを構成する２つの筐体である操作部筐体１Ａと表示部筐体１Ｂとの連結状態に応じてクローズスタイル、オープンスタイル、ビュースタイルなどに変更可能な２軸ヒンジタイプである。このヒンジ部１Ｃには操作部筐体１Ａと表示部筐体１Ｂとを折り畳み開閉するためのヒンジ軸（図示省略）と、このヒンジ軸とほぼ直交して一方の筐体を他方の筐体に対して回動するためのヒンジ軸（図示省略）を有し、これらのヒンジ軸は上述のヒンジ可動部２２に連結されている。したがって、この２軸ヒンジタイプの携帯電話機１は、手動操作でスタイル変更が可能なほか、ヒンジ可動部２２によってもスタイル変更が可能となっている。
【００２５】
表示部筐体１Ｂの上側一端部（ヒンジ部１Ｃの反対側）には、無線通信用と放送受信用として兼用可能なアンテナ部１５が伸縮自在及び回転自在に取り付けられている。すなわち、このアンテナ部１５は、手動操作によって回転・伸縮が可能なほか、上述したアンテナ可動部１７によっても回転・伸縮可能に取り付けられている。また、操作部筐体１Ａの下側部（ヒンジ部１Ｃの反対側）には、上述した充電ケーブル接続部２５が設けられている。また、操作部筐体１Ａの背面側（操作部の反対側）には、上述した充電台接続部２３（図４では図示省略）が設けられている。
【００２６】
図５は、充電台８の外観図である。
充電台８を構成する本体８Ａには、台座８Ｂが回転可能・伸縮可能に取り付けられている。すなわち、台座８Ｂは、手動操作によって回転・伸縮が可能なほか、台座可動部３６によっても回転・伸縮が可能に取り付けられている。本体８Ａは、携帯電話機１が設置される箱型の収納部８Ｃと、この収納部８Ｃの一側部から起立する板状の起立部８Ｄを有し、この起立部８Ｄの上端部には、上述した外部アンテナ部３８が回転可能・伸縮可能に取り付けられている。すなわち、外部アンテナ部３８は、無線通信用と放送受信用として兼用可能なアンテナで、手動によって回転・伸縮が可能なほか、外部アンテナ可動部３６によっても回転・伸縮が可能に取り付けられている。また、本体８Ａの前面部には、上述の表示部３５が配置されていると共に、操作部３９である確認キー３９Ａが設けられている。
【００２７】
図６は、通話履歴記憶部Ｍ２を説明するための図である。
通話履歴記憶部Ｍ２は、通話着信あるいは通話発信が行われる毎にその履歴情報を記憶するもので、「ＩＤ」、「種別」、「日時」、「相手」の各項目を有している。「ＩＤ」は、履歴情報を識別する情報（Ａ０１、Ａ０２、…）である。「種別」は、着信か発信かの種類を示す情報である。「日時」は、通話開始と通話終了の日時を示す情報であり、「相手」は、通話相手を示す電話番号、名前などである。なお、通話履歴記憶部Ｍ２は、発信の履歴情報と着信の履歴情報の両方を記憶する場合に限らず、例えば、着信の履歴情報だけを記憶したり、発信の履歴情報と着信の履歴情報を別々に記憶・管理したりするようにしてもよく、また、「日時」としては通話開始日時だけ記憶するようにしてもよい。
【００２８】
図７は、メール記憶部Ｍ３を説明するための図である。
メール記憶部Ｍ３は、メール着信あるいはメール発信が行われる毎にその履歴情報やメール内容を記憶するもので、「ＩＤ」、「種別」、「日時」、「相手」、「内容」の各項目を有している。「ＩＤ」は、メールを識別する情報（Ｂ０１、Ｂ０２、…）である。「種別」は、着信か発信かの種類を示す情報である。「日時」は、発信日時又は着信日時を示す情報であり、「相手」は、メール相手のメールアドレスや名前などである。
【００２９】
なお、「種別」、「日時」、「相手」は、メールの着信・発信を示す履歴情報（メール履歴）を構成するものである。「内容」は、メールのヘッダ情報や本文、添付ファイルの格納先などのメール内容である。このメール記憶部Ｍ３は、発信メールの履歴情報と着信メールの履歴情報の両方を記憶する場合に限らず、例えば、着信メールの履歴情報だけを記憶したり、発信メールの履歴情報と着信メールの履歴情報とを別々に記憶・管理したりするようにしてもよい。
【００３０】
図８は、予約情報記憶部Ｍ４を説明するための図である。
予約情報記憶部Ｍ４は、視聴や録画の予約情報を記憶するもので、「ＩＤ」、「種別」、「日時」、「番組情報」、「内容」の各項目を有している。「ＩＤ」は、予約情報を識別する情報（Ｃ０１、Ｃ２、…）である。「種別」は、視聴予約か録画予約かの種類を示す情報である。「日時」は、視聴予約、録画予約の開始日時と終了日時を示す情報であり、「番組情報」は、チャンネル／周波数、番組名、出演者などの情報である。「内容」は、録画予約の実行によって録画された実データを示し、視聴予約が実行されても「内容」にはデータは無く、録画予約であっても、まだ実行されていないときには空となっている。
【００３１】
図９は、充電履歴記憶部Ｍ５を説明するための図である。
充電履歴記憶部Ｍ５は、電池部２４に対して充電が行われる毎にその履歴情報を記憶するもので、「ＩＤ」、「種別」、「日時」の各項目を有している。「ＩＤ」は、履歴情報を識別する情報（Ｄ０１、Ｄ０２、…）である。「種別」は、充電台８に設置されたか、充電ケーブル７に直接接続されたかの種類を示す情報である。「日時」は、充電台８に設置（接続）された日時（充電開始日時）及び充電台８から外された日時（充電終了日時）と、充電ケーブル７に接続された日時（充電開始日時）及び充電台８から外された日時（充電終了日時）を示す情報である。
【００３２】
図１０は、出力タイミング記憶部Ｍ６を説明するための図である。
出力タイミング記憶部Ｍ６は、外部装置（充電台８）に接続されたときの通信状況（無線通信の通信状況、放送受信の受信状況）を示す信号を出力するタイミングを記憶するもので、「ＩＤ」、「内容」、「設定フラグ」の各項目を有している。「ＩＤ」は、出力タイミングを識別する情報（Ｅ０１、Ｅ０２）である。「内容」は、その出力タイミングの内容を示す情報であり、「設定フラグ」は、現在有効な出力タイミングを示す情報である。
【００３３】
この「内容」として、２種類の出力タイミング、すなわち、「ＩＤ」が“Ｅ０１”の出力タイミングである“確認キー押下後”と、「ＩＤ」が“Ｅ０２”
の出力タイミングである“自動”を有している。この“確認キー押下後”は、充電台８側の確認キーＫ３９Ａが押下されたときに一定の条件下で現在の通信状況を出力することを示し、“自動”は、ユーザ操作に拘わらずに一定の条件下で現在の通信状況を出力することを示す出力タイミングである。「設定フラグ」は、“確認キー押下後”と“自動”のいずれか一方を現在有効な出力タイミングとして設定するもので、その値が
“１”に対応する「内容」が有効な出力タイミングであることを示している。なお、図１０は、外部装置として充電台８に接続された場合の出力タイミングを示したが、外部装置としての充電ケーブル７側には、確認キー３９Ａが備えられていないために充電ケーブル７に接続されたときの通信状況の出力タイミングは、常に“自動”となる。
【００３４】
図１１は、出力条件記憶部Ｍ７を説明するための図である。
出力条件記憶部Ｍ７は、現在の通信状況を出力する出力条件を記憶するもので、「ＩＤ」、「内容」、「設定フラグ」の各項目を有している。「ＩＤ」は、出力条件を識別する情報（Ｆ０１、Ｆ０２、…）である。「内容」は、その出力条件の内容を示す情報であり、「設定フラグ」は、現在有効な出力条件を示す情報である。この「内容」として５種類の出力条件を有している。すなわち、“毎回”、“通信困難の場合”、“通話履歴／メール／予約情報があり、通信困難の場合”、“直前又は２時間以内の通話履歴／メール／予約情報があり、通信困難の場合”、“充電予定時間以内の通話履歴／メール／予約情報があり、通信困難の場合”を有している。「設定フラグ」は、上述した５種類のいずれか一つを現在有効な出力条件として設定するもので、その値が
“１”に対応する「内容」が有効な条件であることを示している。
【００３５】
「ＩＤ」が“Ｆ０１”の出力条件、つまり、“毎回”は、充電ケーブル７に直接接続されたり、充電台８に設置されたりする毎に通信状況を出力すべきことを示している。「ＩＤ」が“Ｆ０２”の出力条件、つまり、“通信困難の場合”は、充電ケーブル７に接続されたり、充電台８に設置されたりしている状態において、通信困難であることを条件に通信状況を出力すべきことを示している。なお、通信困難とは、電波受信レベルが低い通信／受信不良、通信／受信不可を意味している（以下、同様）。「ＩＤ」が“Ｆ０３”の出力条件、つまり、“通話履歴／メール／予約情報があり、通信困難の場合”は、充電ケーブル７に接続されたり、充電台８に設置されたりしている状態において、通話履歴、メール、予約情報のうち、少なくともそのいずれかが記憶されていること、かつ、通信困難であることを条件に通信状況を出力すべきことを示している。
【００３６】
「ＩＤ」が“Ｆ０４”の出力条件、つまり、“直前又は２時間以内の通話履歴／メール／予約情報があり、通信困難の場合”は、充電ケーブル７に接続されたり、充電台８に設置されたりしている状態において、２時間以内の通話履歴、メール、予約情報のうち、少なくともそのいずれかが記憶されていること、かつ、通信困難であることを条件に通信状況を出力すべきことを示している。なお、「２時間以内」とは、通話履歴又はメールの場合には、現在日時を基準としてその前後２時間以内（同日とは限らない）を意味し、予約情報の場合には、現在日時から先の２時間以内（同日とは限らない）を意味している。また、「２時間以内」は、ユーザ操作で設定したもので、任意の時間を設定可能となっている。
【００３７】
「ＩＤ」が“Ｆ０５”の出力条件、つまり、“充電予定時間以内の通話履歴／メール／予約情報があり、通信困難の場合”は、充電ケーブル７に接続されたり、充電台８に設置されたりしている状態において、予め決められている算出方法によって求めた充電予定時間（後述する）以内の通話履歴、メール、予約情報のうち、少なくともそのいずれかが記憶されていること、かつ、通信困難であることを条件に通信状況を出力すべきことを示している。なお、この「充電予定時間以内」の考え方は、上述した「２時間以内」と同様である。
【００３８】
図１２は、充電予定時間算出情報記憶部Ｍ８を説明するための図である。
充電予定時間算出情報記憶部Ｍ８は、上述した“充電予定時間以内の通話履歴／メール／予約情報があり、通信困難の場合”の出力条件が現在有効となっているときに、この充電予定時間を求める算出方法を記憶するもので、「ＩＤ」、「内容」、「設定フラグ」の各項目を有している。「ＩＤ」は、算出方法を識別する情報（Ｇ０１、Ｇ０２）である。「内容」は、算出方法を示す情報であり、「設定フラグ」は、現在有効な算出方法を示す情報である。この「内容」として２種類の算出方法、すなわち、“電池残量から算出”と、“充電履歴から算出”とを有している。
【００３９】
「設定フラグ」は、上述した２種類のいずれか一つを現在有効な算出方法として設定するもので、その値が
“１”に対応する「内容」が有効な算出方法であることを示している。「ＩＤ」が“Ｇ０１”の算出方法、つまり、“電池残量から算出”は、充電ケーブル７に接続されたり、充電台８に設置されたりしている状態において、電池部２４の電池残量を検出すると共に、この電池残量から充電予定時間（充電ケーブル７に接続されていると予測される時間、充電台８に設置されていると予測される時間）を算出する方法で、例えば、電池残量がほとんど無い場合には８時間、半分位の場合には５時間を充電予定時間として算出するようにしている。
【００４０】
「ＩＤ」が“Ｇ０２”の算出方法、つまり、“充電履歴から算出”は、充電ケーブル７に接続されたり、充電台８に設置されたりしている状態において、充電履歴記憶部Ｍ５に記憶されている充電日時を参照して充電予定時間を算出する方法で、例えば、現在時刻が午後１１時で、ほぼ毎日午後１０時〜午前６時の間、充電台８に設置されているという充電履歴が記憶されている場合には、午後１１時〜午前６時の７時間を充電予定時間として算出し、また、充電履歴の多くが毎日４時間位の場合には４時間を充電予定時間として算出するようにしている。なお、充電予定時間を算出するために参照する充電履歴は、充電ケーブル７と充電台８とを区別するようにしてもよい。つまり、充電ケーブル７に接続された場合には、「種別」が“充電ケーブル”の充電履歴のみを参照するようにしてもよい。
【００４１】
図１３は、変更情報記憶部Ｍ９を説明するための図である。
変更情報記憶部Ｍ９は、充電ケーブル７に接続されたり、充電台８に設置されたりしている状態において、通信困難の場合にその通信状況を変更（改善）するための変更情報を記憶するもので、充電台８に設置されている場合の変更情報（図１３（Ａ）参照）と、充電ケーブル７に接続されている場合の変更情報（図１３（Ｂ）参照）とを別々に記憶するようにしている。そして、変更情報記憶部Ｍ９は、「ＩＤ」、「内容」、「設定フラグ」の各項目を有し、「ＩＤ」は、変更情報を識別する情報である。「内容」は、変更情報を示す情報であり、「設定フラグ」は、現在有効な変更情報を示す情報である。
【００４２】
充電台８に関する変更情報記憶部Ｍ９の「内容」には、図１３（Ａ）に示すように、
“変更しない”、“外部アンテナ伸長＋回転”、“台座伸長＋回転”を有している。ここで、「ＩＤ」が“Ｈ０１” の変更情報、つまり、“変更しない”は、通信困難な場合でも充電台８側の通信状況を特に変更しないことを示している。“「ＩＤ」が“Ｈ０２”の変更情報、つまり“外部アンテナ伸長＋回転”は、上述の外部アンテナ部３８によってアンテナ３７Ａを伸長させたり、回転させたりすることによって、その通信状況を改善させることを示している。「ＩＤ」が“Ｈ０３”の変更情報、つまり、“台座伸長＋回転”は、上述の台座可動部３６によって台座８Ｂを伸縮させたり、回転させたりすることによってアンテナ３７Ａの通信状況を改善させることを示している。なお、「内容」は、“変更しない”、“外部アンテナ伸長＋回転”、“台座伸長＋回転”に限らず、“外部アンテナ伸長”、“台座伸長”などを含めるようにしてもよい。
【００４３】
また、充電ケーブル７に関する変更情報記憶部Ｍ９の「内容」には、図１３（Ｂ）に示すように、“変更しない”、“アンテナ伸長＋回転”、“筐体スタイル変更”を有している。ここで、「ＩＤ」が“Ｉ０１”
の変更情報、つまり、“変更しない”は、通信困難な場合でも携帯電話機１側の通信状況を特に変更しないことを示し、「ＩＤ」が“Ｉ０２” の変更情報、つまり、“アンテナ伸長＋回転”は、上述のアンテナ可動部１７によってアンテナ部１５を伸長させたり、回転させたりすることによって、その通信状況を改善させることを示している。「ＩＤ」が“Ｉ０３”の変更情報、つまり、“筐体スタイル変更”は、上述のヒンジ可動部２２によって操作部筐体１Ａと表示部筐体１Ｂとの連結状態を変えてスタイルを変更させ、このスタイルに応じて通信状況を改善させることを示している。なお、「内容」は、“変更しない”、“アンテナ伸長＋回転”、“筐体スタイル変更”に限らず、“アンテナ伸長”、“筐体スタイル＋アンテナ伸長”などを含めるようにしてもよい。
【００４４】
次に、この実施形態における携帯電話機１、充電台８の動作概念を図１４〜図２３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００４５】
図１４は、携帯電話機１の全体動作を示したフローチャートである。
先ず、中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。そして、操作部１９をアクセスして操作有無をチェックし、情報設定を指示する設定操作が行われると（ステップＡ３でＹＥＳ）、その設定操作に応じた設定処理として、例えば、予約情報記憶部Ｍ４の予約情報、出力タイミング記憶部Ｍ６、出力条件記憶部Ｍ７、充電予定時間算出情報記憶部Ｍ８、変更情報記憶部Ｍ９に対してその「設定フラグ」などを設定する処理を行う（ステップＡ４）。その後、上述のステップＡ３に戻る。
【００４６】
また、中央制御部１１は、充電台接続部２３、充電ケーブル接続部２５をアクセスすることによって充電台８に設置（接続）されたこと、あるいは充電ケーブル７に接続されたことを検出すると（ステップＡ５でＹＥＳ）、ＲＴＣ２０から現在日時を取得し、この現在日時を充電台８あるいは充電ケーブル７に接続された日時（充電開始日時）とする充電履歴（充電終了日時を除く）を生成して、充電履歴記憶部Ｍ５に追加記憶させる（ステップＡ６）。そして、充電台接続部２３、充電ケーブル接続部２５を制御して電池部２４への充電を開始させたのち（ステップＡ７）、現在の通信状況を検出すると共に、必要に応じてその通信状況を変更したり、通信状況を示す出力信号を出力したりする後述の接続処理を実行したのち（ステップＡ８）、上述のステップＡ３に戻る。
【００４７】
このように外部装置（充電ケーブル７又は充電台８）に接続されている状態において、携帯電話機１が充電台８から外されたこと、あるいは充電ケーブル７から外されたことを検出すると（ステップＡ９でＹＥＳ）、充電台接続部２３、充電ケーブル接続部２５を制御して電池部２４への充電を終了させると共に（ステップＡ１０）、現在日時を充電台８あるいは充電ケーブル７から外された日時（充電終了日時）として、この充電終了日時を充電履歴記憶部Ｍ５に記憶させたのち（ステップＡ１１）、上述のステップＡ３に戻る。
【００４８】
また、予約情報記憶部Ｍ４をアクセスして視聴・録画の開始時刻と現在日時とを比較した結果、いずれかの開始時刻（予約時間）の到来を検出した際には（ステップＡ１２でＹＥＳ）、放送受信部１６を起動してテレビ放送／ラジオ放送を受信可能としたのち（ステップＡ１３）、その予約情報の「番組情報」で示されるチャンネル／周波数の番組を受信し、その「種別」が“視聴”であれば、受信番組の映像データ、音声データを出力させ、“録画”であれば、受信番組の映像データ、音声データを記録する視聴／録画処理を行う（ステップＡ１４）。その後、上述のステップＡ３に戻る。
【００４９】
また、無線通信部１３から通話着信又はメール着信を受けたときには（ステップＡ１５でＹＥＳ）、通話履歴又は受信メールを、対応する通話履歴記憶部Ｍ２、メール記憶部Ｍ３に追加記憶させたのち（ステップＡ１６）、通話可能な状態とする通話処理又は受信メールを表示する表示処理を行う（ステップＡ１７）。また、電源オフ操作が行われたときには（ステップＡ１８でＹＥＳ）、電源オフ処理を行い（ステップＡ１９）、その他の操作が行われたときには（ステップＡ２０でＹＥＳ）、操作に応じた処理として、例えば、発信処理などを行う（ステップＡ２１）。その後、上述のステップＡ３に戻る。
【００５０】
図１５は、接続処理（図１４のステップＡ８）を詳述するためのフローチャートである。
この接続処理は、外部装置（充電ケーブル７又は充電台８）に接続されることによって実行開始され、現在の通信状況を検出してその通信状況を変更したり、その通信状況を示す出力信号を出力したりする処理である。先ず、中央制御部１１は、充電台８に設置（接続）されているのか、充電ケーブル７に接続されているのかを判別する（ステップＢ１）。いま、充電ケーブル７に接続されていれば（ステップＢ１でＮＯ）、予め設定されている出力条件に応じた出力処理に移るが（ステップＢ６〜Ｂ１０）、充電台８に設置されていれば（ステップＢ１でＹＥＳ）、出力タイミング記憶部Ｍ６をアクセスして「設定フラグ」が“１”の出力タイミングを読み出し（ステップＢ２）、その「ＩＤ」が“Ｅ０１”で、その「内容」が“確認キー押下後”に該当するかを調べる（ステップＢ３）。
【００５１】
いま、「設定フラグ」が“１”の出力タイミングの「内容」が“自動”であれば（ステップＢ３でＮＯ）、出力条件に応じた出力処理に移るが（ステップＢ６〜Ｂ１０）、その「内容」が“確認キー押下後”であれば（ステップＢ３でＹＥＳ）、充電台８側から確認キー３９Ａの操作を示す信号を受信したかを調べる（ステップＢ４）。ここで、充電台８に設置されてから所定時間（例えば、３０秒）が経過しても確認キー３９Ａの操作信号を受信しなければ（ステップＢ５でＹＥＳ）、この時点で接続処理を終了して図１４のステップＡ３に戻るが、確認キー３９Ａの操作信号を受信したときには（ステップＢ４でＹＥＳ）、出力条件記憶部Ｍ７をアクセスして「設定フラグ」が“１”の出力条件を読み出す（ステップＢ６）。
【００５２】
そして、この出力条件の「ＩＤ」が“Ｆ０１”で「内容」が“毎回”であれば（ステップＢ７でＹＥＳ）、充電台８に設置されたり、充電ケーブル７に接続されたりする毎に、現在の通信状況を出力する出力処理Ａ（図１６）の実行に移るが（ステップＢ８）、「ＩＤ」が“Ｆ０１”以外であれば（ステップＢ７でＮＯ）、出力条件記憶部Ｍ７の設定内容を参照して出力条件を判別する出力条件判別処理（図１７〜図１９）を実行したのち（ステップＢ９）、その判別結果に応じて現在の通信状況を出力する出力処理Ｂ（図２０）の実行に移る（ステップＢ１０）。
【００５３】
その後、現在の通信状況（無線通信の通信状況、放送受信の受信状況）から困難な通信状況（通信／受信不良、通信／受信不可）であるかを調べ（ステップＢ１１）、困難な通信状況でなければ、この時点で図１４のステップＡ３に戻るが、困難な通信状況であれば（ステップＢ１１でＹＥＳ）、アンテナ部１５を伸縮させたり、回転させたりすることで、その通信状況を変更する通信状況変更処理（図２１）を行う（ステップＢ１２）。この通信状況変更処理によって通信状況を変更しても困難な通信状況のままであれば、その通信状況を出力する出力処理Ｃ（図２２）の実行に移る（ステップＢ１３）。
【００５４】
図１６は、出力条件が“毎回”の場合に実行開始される出力処理Ａ（図１５のステップＢ８）を詳述するためのフローチャートである。
先ず、中央制御部１１は、無線通信の通信状況を出力する処理を行う（ステップＣ１〜Ｃ５）。すなわち、無線通信部１３からの信号に基づいてその通信状況を検出する（ステップＣ１）。この場合、通信可／不可を検出すると共に通信可であれば、通信レベル（電波の受信レベル）も検出するようにしている。そして、この無線通信の通信状況に応じた出力信号Ａを表示部１８から出力させると共に（ステップＣ２）、この出力信号Ａに応じたメッセージを表示部１８から出力させる（ステップＣ３）。
【００５５】
例えば、通信レベルを数値表示したり、アイコン表示するほか、「通信状況が悪いため、通話やメールができません」、「通信状況があまり良くないため、通話やメールができない可能性があります」などのメッセージを表示したりして現在の通信状況を報知する。そして、充電台８に設置されているのか、充電ケーブル７に接続されているのかを判別し（ステップＣ４）、充電ケーブル７に接続されている場合には（ステップＣ４でＮＯ）、放送受信の受信状況を出力する処理に移るが（ステップＣ６〜Ｃ１０）、充電台８に設置されている場合には（ステップＣ４でＹＥＳ）、現在の通信状況に応じた出力信号Ａを充電台８に対して出力する（ステップＣ５）。
【００５６】
放送受信の受信状況を出力する処理においては、先ず、放送受信部１６からの信号に基づいてその通信状況を検出する（ステップＣ６）。この場合、受信可／不可を検出すると共に受信可であれば、受信レベルも検出するようにしている。そして、この放送受信の通信状況に応じた出力信号Ｂを表示部１８から出力させると共に（ステップＣ７）、この出力信号Ｂに応じたメッセージを表示部１８から出力させる（ステップＣ８）。例えば、通信レベルを数値表示したり、アイコン表示したりするほか、「テレビ放送を受信できません」、「テレビ放送の受信が困難です」などのメッセージを表示したりして現在の通信状況を報知する。
【００５７】
そして、充電台８に設置されているのか、充電ケーブル７に接続されているのかを判別し（ステップＣ９）、充電ケーブル７に接続されていれば（ステップＣ９でＮＯ）、この出力処理Ａを終了して図１５のフローに戻るが、充電台８に設置されていれば（ステップＣ９でＹＥＳ）、現在の通信状況に応じた出力信号Ｂを充電台８に対して出力したのち（ステップＣ１０）、図１５のフローに戻る。
【００５８】
図１７〜図１９は、出力条件が“毎回”以外の場合に実行開始される出力条件判別処理（図１５のステップＢ９）を詳述するためのフローチャートである。
先ず、中央制御部１１は、出力条件記憶部Ｍ７を参照し、その「設定フラグ」が“１”の「ＩＤ」は“Ｆ０２”であるかを調べ（ステップＤ１）、その「ＩＤ」が“Ｆ０２”で、その「内容」が“通信困難の場合”であれば（ステップＤ１でＹＥＳ）、無線通信の通信状況を出力すると判別すると共に（ステップＤ２）、放送受信の通信状況を出力すると判別する（ステップＤ３）。
【００５９】
また、「ＩＤ」が“Ｆ０３”であれば（ステップＤ４でＹＥＳ）、その「内容」は“通話履歴／メール／予約情報があり、通信困難の場合”であるため、通話履歴記憶部Ｍ２、メール記憶部Ｍ３を参照し、通話履歴又はメールが記憶されているかを調べ（ステップＤ５）、記憶されていれば、無線通信の通信状況を出力すると判別し（ステップＤ６）、記憶されていなければ（ステップＤ５でＮＯ）、無線通信の通信状況を出力しないと判別する（ステップＤ７）。同様に、予約情報記憶部Ｍ４を参照し、現在時刻より未来の予約情報が記憶されているかを調べ（ステップＤ８）、記憶されていれば、放送受信の通信状況を出力すると判別するが（ステップＤ９）、記憶されていなければ（ステップＤ８でＮＯ）、放送受信の通信状況を出力しないと判別する（ステップＤ１０）。
【００６０】
また、「設定フラグ」が“１”の「ＩＤ」が“Ｆ０３”でなければ（ステップＤ４でＮＯ）、図１８のフローに移り、「ＩＤ」は“Ｆ０４”であるかを調べ（ステップＤ１１）、“Ｆ０４”であれば、その「内容」は、“直前又は２時間以内の通話履歴／メール／予約情報があり、通信困難の場合”であるため、通話履歴記憶部Ｍ２、メール記憶部Ｍ３を参照し、現在日時の過去５分以内（直前）の通話履歴、メールが記憶されているかを調べる（ステップＤ１２）。いま、該当する通話履歴、メールが記憶されていれば、無線通信の通信状況を出力すると判別し（ステップＤ１４）、記憶されていなければ（ステップＤ１２でＮＯ）、現在時刻を基準にその前後２時間以内の通話履歴、メールが記憶されているかを調べる（ステップＤ１３）。
【００６１】
ここで、２時間以内の通話履歴、メールが記憶されていれば（ステップＤ１３でＹＥＳ）、無線通信の通信状況を出力すると判別し（ステップＤ１４）、記憶されていなければ（ステップＤ１３でＮＯ）、無線通信の通信状況を出力しないと判別する（ステップＤ１５）。同様に、予約情報記憶部Ｍ４を参照し、現在日時から２時間以内の予約情報が記憶されているかを調べ（ステップＤ１６）、記憶されていれば、放送受信の通信状況を出力すると判別するが（ステップＤ１７）、記憶されていなければ（ステップＤ１６でＮＯ）、放送受信の通信状況を出力しないと判別する（ステップＤ１８）。
【００６２】
また、「設定フラグ」が“１”の「ＩＤ」が“Ｆ０４”でなければ（ステップＤ１１でＮＯ）、「ＩＤ」は“Ｆ０５”ということになる。図１９のフローに移り、「ＩＤ」が“Ｆ０５”の「内容」は“充電予定時間以内の通話履歴／メール／予約情報があり、通信困難の場合”であるために、充電予定時間算出情報記憶部Ｍ８を参照して「設定フラグ」が“１”の充電予定時間算出情報を読み出し（ステップＤ１９）、その「ＩＤ」は“Ｇ０１”であるかを調べる（ステップＤ２０）。いま、「ＩＤ」が“Ｇ０１”で、その「内容」が“電池残量からの算出”であれば、電池部２４の電池残量を検出すると共に（ステップＤ２１）、この電池残量から充電予定時間を算出するが（ステップＤ２２）、「ＩＤ」が“Ｇ０１”でなければ（ステップＤ２０でＮＯ）、充電履歴記憶部Ｍ５から充電履歴を読み出すと共に（ステップＤ２３）、現在日時と充電履歴とから充電予定時間を算出する（ステップＤ２４）。
【００６３】
そして、通話履歴記憶部Ｍ２、メール記憶部Ｍ３を参照し、現在日時の過去５分以内の通話履歴又はメールが記憶されているかを調べ（ステップＤ２５）、記憶されていれば、無線通信の通信状況を出力すると判別し（ステップＤ２７）、記憶されていなければ（ステップＤ２５でＮＯ）、現在時刻の前後で充電予定時間以内の通話履歴又はメールが記憶されているかを調べる（ステップＤ２６）。ここで、該当する通話履歴又はメールが記憶されていれば、無線通信の通信状況を出力すると判別し（ステップＤ２７）、記憶されていなければ（ステップＤ２６でＮＯ）、無線通信の通信状況を出力しないと判別する（ステップＤ２８）。同様に、予約情報記憶部Ｍ４を参照し、現在日時から充電予定時間以内の予約情報が記憶されているかを調べ（ステップＤ２９）、記憶されていれば、放送受信の通信状況を出力すると判別するが（ステップＤ３０）、記憶されていなければ（ステップＤ２９でＮＯ）、放送受信の通信状況を出力しないと判別する（ステップＤ３１）。
【００６４】
図２０は、出力条件判別処理（図１５のステップ）の終了後に実行開始される出力処理Ｂ（図１５のステップＢ１０）を詳述するためのフローチャートである。
先ず、中央制御部１１は、上述した出力条件判別処理において無線通信の通信状況を出力すると判別されているかを調べ（ステップＥ１）、出力しないと判別されているときには、放送受信の受信状況を出力する処理に移るが（ステップＥ８〜Ｅ１４）、出力すると判別されているときには（ステップＥ１でＹＥＳ）、無線通信の通信状況を検出し（ステップＥ２）、電波受信レベルが低い通信不良、通信不可であるか、つまり、困難な通信状況であるかを調べる（ステップＥ３）。
【００６５】
いま、困難な通信状況でなければ、ステップＥ８に移るが、困難な通信状況であれば（ステップＥ３でＹＥＳ）、その通信状況に応じた出力信号Ａを表示部１８から出力させると共に（ステップＥ４）、この出力信号Ａに応じたメッセージを表示部１８から出力させる（ステップＥ５）。そして、充電台８に設置されているのか、充電ケーブル７に接続されているのかを判別し（ステップＥ６）、充電ケーブル７に接続されていれば（ステップＥ６でＮＯ）、ステップＥ８に移るが、充電台８に設置されていれば（ステップＥ６でＹＥＳ）、現在の通信状況に応じた出力信号Ａを充電台８に対して出力したのち（ステップＥ７）、ステップＥ８に移る。
【００６６】
放送受信の受信状況を出力する処理（ステップＥ８〜Ｅ１４）においても上述の場合と同様に、上述の出力条件判別処理において放送受信の通信状況を出力しないと判別されているときには（ステップＥ８でＮＯ）、この出力処理Ｂを終了して図１５のフローに戻るが、出力すると判別されているときには（ステップＥ８でＹＥＳ）、放送受信の通信状況を検出して（ステップＥ９）、困難な通信状況であるかを調べる（ステップＥ１０）。
【００６７】
いま、困難な通信状況でなければ、図１５のフローに戻るが、困難な通信状況であれば（ステップＥ１０でＹＥＳ）、その通信状況に応じた出力信号Ｂを表示部１８から出力させると共に（ステップＥ１１）、この出力信号Ｂに応じたメッセージを表示部１８から出力させる（ステップＥ１２）。そして、充電台８に設置されているのか、充電ケーブル７に接続されているのかを判別し（ステップＥ１３）、充電ケーブル７に接続されていれば（ステップＥ１３でＮＯ）、図１５のフローに戻るが、充電台８に設置されていれば（ステップＥ１３でＹＥＳ）、現在の通信状況に応じた出力信号Ｂを充電台８に対して出力したのち（ステップＥ１４）、図１５のフローに戻る。
【００６８】
図２１は、困難な通信状況の場合に実行開始される通信状況変更処理（図１５のステップＢ１２）を詳述するためのフローチャートである。
先ず、中央制御部１１は、充電台８に設置されているのか、充電ケーブル７に接続されているのかを判別し（ステップＦ１）、充電台８に設置されていれば、充電台８に関する変更情報記憶部Ｍ９を参照して、「設定フラグ」が“１”の変更情報を読み出し（ステップＦ２）、その「ＩＤ」は“Ｈ０１”であるか（ステップＦ３）、“Ｈ０２”
であるかを調べる（ステップＦ４）。いま、「ＩＤ」が“Ｈ０１”で、その「内容」が“変更しない”であれば（ステップＦ４でＹＥＳ）、この時点で通信状況変更処理を終了して図１５のフローに戻る。
【００６９】
また、「設定フラグ」が“１”の「ＩＤ」が“Ｈ０２”で、その「内容」が“外部アンテナ伸長＋回転”であれば（ステップＦ４でＹＥＳ）、この“外部アンテナ伸長＋回転”を指示する出力信号Ｃを充電台８に対して出力する（ステップＦ５）。この場合、中央制御部１１は、通信状況を検出・確認しながら外部アンテナ部３８の伸長・回転を指示し、最も通信状況が良くなるように外部アンテナ部３８の長さ・方向を変更させる。また、「ＩＤ」が“Ｈ０２”でなければ、つまり、“Ｈ０３”で、その「内容」が“台座伸長＋回転”であれば（ステップＦ４でＮＯ）、この“台座伸長＋回転”を指示する出力信号Ｄを充電台８に対して出力する（ステップＦ６）。この場合、中央制御部１１は、通信状況を検出・確認しながら台座８Ｂの伸長・回転を指示し、最も通信状況が良くなるように台座８Ｂの高さ・方向を変更させる。
【００７０】
一方、充電ケーブル７に接続されていれば（ステップＦ１でＮＯ）、充電ケーブル７に関する変更情報記憶部Ｍ９を参照し、「設定フラグ」が“１”の変更情報を読み出し（ステップＦ７）、その「ＩＤ」は“Ｉ０１”
であるか（ステップＦ８）、“Ｉ０２” であるかを調べる（ステップＦ９）。いま、「ＩＤ」が“Ｉ０１”で、その「内容」が“変更しない”であれば（ステップＦ８でＹＥＳ）、この時点で通信状況変更処理を終了して図１５のフローに戻る。
【００７１】
また、「ＩＤ」が“Ｉ０２”で、その「内容」が“アンテナ伸長＋回転”であれば（ステップＦ９でＹＥＳ）、このアンテナ可動部１７を駆動させてアンテナ部１５を伸長させたり、回転させたりする（ステップＦ１０）。この場合、中央制御部１１は、通信状況を検出・確認しながら自己のアンテナ部１５を伸長させたり、回転させたりすることによって最も通信状況が良くなるアンテナ部１５の長さ・方向に変更するようにしている。また、「ＩＤ」が“Ｉ０２”でなければ、つまり、“Ｉ０３”で、その「内容」が“筐体スタイル変更”であれば（ステップＦ９でＮＯ）、ヒンジ可動部２２を駆動させて筐体スタイルを変更させる（ステップＦ１１）。この場合、中央制御部１１は、通信状況を検出・確認しながら筐体スタイルを変更することによって最も通信状況が良くなる筐体スタイルに変更するようにしている。なお、最も通信状況が良くなる筐体スタイルをユーザが予め設定できるようにしてもよい。
【００７２】
なお、上述の通信状況変更処理において、無線通信と放送受信のうち、より困難な方の通信状況を優先して変更するようにしてもよい。また、無線通信、放送受信のいずれを優先するかを予め決めておくようにしてもよい。更に、通信履歴、メール履歴、予約情報から先に通信がありそうだと予測できる方を優先するようにしてもよい。
【００７３】
図２２は、通信状況変更処理後に実行開始される出力処理Ｃ（図１５のステップＢ３）を詳述するためのフローチャートである。
先ず、中央制御部１１は、通信状況を検出して無線通信は困難な通信状況のままかを調べ（ステップＧ１）、通信状況変更処理によって通信状況が改善されたときには（ステップＧ１でＮＯ）、放送受信の受信状況を出力する処理に移るが（ステップＧ６〜Ｇ１０）、困難な通信状況のままであれば（ステップＧ１）、その通信状況に応じた出力信号Ａを表示部１８から出力させると共に（ステップＧ２）、この出力信号Ａに応じたメッセージを表示部１８から出力させる（ステップＧ３）。そして、充電台８に設置されていれば（ステップＧ４でＹＥＳ）、現在の通信状況に応じた出力信号Ａを充電台８に対して出力する（ステップＧ５）。
【００７４】
放送受信の受信状況を出力する処理（ステップＧ６〜Ｇ１０）においても上述の場合と同様に、通信状況を検出して放送受信は困難な通信状況のままかを調べ（ステップＧ６）、困難な通信状況が改善されれば、この出力処理の終了となるが、困難な通信状況のままであれば（ステップＧ６でＹＥＳ）、その通信状況に応じた出力信号Ｂを表示部１８から出力させると共に（ステップＧ７）、この出力信号Ｂに応じたメッセージを表示部１８から出力させる（ステップＧ８）。そして、充電台８に設置されていれば（ステップＧ９でＹＥＳ）、現在の通信状況に応じた出力信号Ｂを充電台８に対して出力する（ステップＧ１０）。
【００７５】
図２３は、充電台８の全体動作を示したフローチャートである。
先ず、中央制御部３１は、携帯電話機接続部３３をアクセスし、携帯電話機１の設置（接続）を検出すると（ステップＨ１でＹＥＳ）、携帯電話機１に対する給電を開始する（ステップＨ２）。この状態において、確認キー３９Ａが操作されると（ステップＨ３でＹＥＳ）、確認キー３９Ａの操作信号を携帯電話機１に対して出力する（ステップＨ４）。一方、携帯電話機１から出力信号Ａを受信すると（ステップＨ５でＹＥＳ）、この出力信号Ａを表示部３５に出力し（ステップＨ６）、この出力信号Ａに応じたメッセージを表示部３５から出力させる（ステップＨ７）。同様に、携帯電話機１から出力信号Ｂを受信すると（ステップＨ８でＹＥＳ）、この出力信号Ｂを表示部３５に出力し（ステップＨ９）、この出力信号Ｂに応じたメッセージを表示部３５から出力させる（ステップＨ１０）。
【００７６】
また、携帯電話機１から出力信号Ｃを受信すると（ステップＨ１１でＹＥＳ）、外部アンテナ可動部３６を駆動させて外部アンテナ部３８を伸長させたり、回転させたりする（ステップＨ１２）。この場合、中央制御部３１は、携帯電話機１から受信した出力信号Ｃに応じて外部アンテナ部３８を伸長させたり、回転させたりするだけでなく、通信状況を検出・確認しながら外部アンテナ部３８を伸長させたり、回転させたりすることによって、最も通信状況が良くなるように外部アンテナ部３８の長さ・方向を変更させるようにしてもよい。また、携帯電話機１から出力信号Ｄを受信すると（ステップＨ１３でＹＥＳ）、台座可動部３７を駆動させて台座８Ｂを伸長させたり、回転させたりする（ステップＨ１４）。この場合、中央制御部３１は、携帯電話機１から受信した出力信号Ｄに応じて台座８Ｂを伸長させたり、回転させたりするだけでなく、通信状況を検出・確認しながら台座８Ｂを伸長させたり、回転させたりすることによって、最も通信状況が良くなるように台座８Ｂの高さ・方向を変更させるようにしてもよい。また、携帯電話機１の接続が外れたことを検出すると（ステップＨ１５でＹＥＳ）、携帯電話機１への給電を停止させる（ステップＨ１６）。
【００７７】
以上のように、この実施形態の携帯電話機１において中央制御部１１は、外部装置（充電ケーブル７、充電台８）との接続を検出した際に、現在の通信状況を示す出力信号を出力するようにしたので、携帯電話機１の通信状況を適切なタイミングで出力することができ、その通信状況に応じた対処が可能となる。例えば、充電台８への設置、充電ケーブル７への接続時にはユーザがその携帯電話機１側にいる可能性が高く、また、携帯電話機１がしばらくその状態のままとなって通信状況が今後あまり変わらない可能性が高いために、適切なタイミングで通信状況を出力することができる。
【００７８】
困難な通信状況であることが検出された場合に、その困難である旨を示す出力信号を出力するようにしたので、ユーザにあっては携帯電話機１の置き場所を変えたり、アンテナを伸ばしたりするなど、ユーザは何らかの対処を行うことができる。このようにユーザが通信状況を知る必要があるときに通信状況を出力することができる。
【００７９】
外部装置との接続を検出した際に、通信状況を報知するようにしたので、適切なタイミングで通信状況を報知することができる。
【００８０】
通信状況を示す出力信号を外部装置に対して出力するようにしたので、この外部装置では、通信状況を示す出力信号に基づいて報知を行ったり、通信状況を変更したりするなど、各種の対処が可能となる。
【００８１】
通信に関連する履歴情報、通信に関連する予約情報のいずれかが記憶されている場合に、通信状況を示す出力信号を出力するようにしたので、例えば、音声通話の通話履歴、メールの通信履歴、テレビ放送の録画予約情報など、通信に関連する履歴情報や予約情報が記憶されているということは、外部機器と接続されている間に通信が利用される可能性が高くなるため、ユーザが通信状況を知る必要があるときに通信状況を出力することができる。
【００８２】
現在時刻から所定時間以内の時刻情報を有する履歴情報・予約情報のうち、少なくともそのいずれかが記憶されている場合に、通信状況を示す出力信号を出力するようにしたので、例えば、現在時刻の直前の通信履歴、別の日の現在時刻と同じ時間帯の通信履歴、現在時刻の直後の予約情報など、所定時間内の履歴情報や予約情報が記憶されているということは、外部機器と接続されている間に通信が利用される可能性が高くなるため、ユーザが通信状況を知る必要があるときに通信状況を出力することができる。
【００８３】
外部装置との接続予定時間を算出し、この接続予定時間に含まれる時刻情報を有する履歴情報・予約情報のいずれかに該当する情報が記憶されている場合に、通信状況を示す出力信号を出力するようにしたので、外部装置との接続予定時間に含まれる履歴情報や予約情報が記憶されているということは、外部機器と接続されている間に通信が利用される可能性が高くなるため、ユーザが通信状況を知る必要があるときに通信状況を出力することができる。
【００８４】
通信状況の検出結果に基づいて通信状況を変更するようにしたので、例えば、アンテナを伸ばしたり、筐体のスタイルを変更したり、充電台８の向きを変更したり、充電台８の外部アンテナを伸ばしたりすることによって、良好な通信状況に変更することができる。
【００８５】
音声通信、メール通信、放送受信に関する通信状況を、適切なタイミングで出力することができる。
【００８６】
携帯電話機１を設置する充電台８は、通信状況を検出すると共に、この通信状況を示す出力信号を出力するようにしたので、設置された携帯電話機１の通信状況を出力することができる。
【００８７】
充電台８は、困難な通信状況であることが検出された場合に、その困難である旨を示す出力信号を出力するようにしたので、ユーザにあっては携帯電話機１の置き場所を変えたり、アンテナを伸ばしたりするなど、ユーザは何らかの対処を行うことができる。このようにユーザが通信状況を知る必要があるときに通信状況を出力することができる。
【００８８】
充電台８は、通信状況を示す出力信号を報知するようにしたので、携帯電話機１の通信状況を報知することができる。
【００８９】
充電台８は、携帯電話機１の設置に応じて携帯電話機１から出力される通信状況を示す出力信号を受信すると、この出力信号に基づいて携帯電話機１の通信状況を検出するようにしたので、携帯電話機１から出力される出力信号を受信するだけで通信状況を検出することができる。
【００９０】
充電台８は、携帯電話機１の設置が検出された際に、携帯電話機１の通信状況を示す出力信号を出力するようにしたので、携帯電話機１が設置された際には、ユーザがその携帯電話機１の側にいる可能性が高く、また、携帯電話機１がしばらくその状態のままとなって通信状況があまり変わらない可能性が高いために、適切なタイミングで通信状況を出力することができる。
【００９１】
充電台８側の確認キーＫ３９Ａが押下されたときに携帯電話機１側の通信状況を出力するようにしたので、ユーザが所望するタイミングで通信状況を出力することができる。
【００９２】
充電台８は、通信状況の検出結果に基づいて通信状況を変更するようにしたので、例えば、アンテナを伸ばしたり、台座の高さや方向を変更したりすることによって、良好な通信状況に変更することができる。
【００９３】
なお、上述した実施形態においては、音声通話の通話履歴、メールの通信履歴、テレビ放送の録画予約情報など、通信に関連する履歴情報、通信に関連する予約情報のいずれかが記憶されている場合に、通信状況を示す出力信号を出力するようにしたが、通信に関連する履歴情報及び予約情報の両方が記憶されている場合に、通信状況を示す出力信号を出力するようにしてもよい。これによって外部機器に接続されている間に通信が利用される可能性が更に高くなる。
【００９４】
同様に、上述した実施形態においては、この接続予定時間に含まれる時刻情報を有する履歴情報・予約情報のいずれかに該当する情報が記憶されている場合に、通信状況を示す出力信号を出力するようにしたが、その履歴情報及び予約情報が記憶されている場合に、通信状況を示す出力信号を出力するようにしてもよい。これによって外部機器に接続されている間に通信が利用される可能性が更に高くなる。
【００９５】
上述した実施形態においては、出力信号Ａ、Ｂに応じてメッセージを表示するようにしたが、報知方法は任意であり、光、音、振動など、任意の報知方法であってもよい。
【００９６】
上述した実施形態においては、携帯電話機１が充電台８に設置された場合に、携帯電話機１と充電台８の両方でメッセージを表示するようにしたが、どちらか一方でのみ表示するようにしてもよく、また、その優先順位を予め設定できるようにしてもよい。
【００９７】
上述した実施形態においては、通信状況の変更方法として、携帯電話機１が充電台８に設置された際には、充電台８における変更方法とし、携帯電話機１が充電ケーブル７に接続された際には、携帯電話機１における変更方法としたが、例えば、充電台８の台座８Ｂを回転させると共に、携帯電話機１の筐体のスタイルを変更するといったように、複数の変更方法を組み合わせるようにしても良い。
【００９８】
また、上述した実施形態において携帯電話機１は、クローズスタイル、オープンスタイル、ビュースタイルなどに変更可能な２軸ヒンジタイプを例示したが、筐体のスタイルはこれらに限らず、携帯電話機１の筐体の構造に応じた任意のスタイルであってもよい。
【００９９】
また、上述した実施形態においては、通信を、音声通話、メール通信、テレビ放送受信としたが、Ｗｅｂサイトへのアクセス、配信情報の受信、ラジオ放送受信など、任意の通信であってもよい。
また、上述した実施形態において携帯電話機１は、発信と着信の両方の通話履歴やメールに基づいて通信状況を示す出力信号を出力するか否かを判別するようにしたが、着信のみでもよく、また、通話履歴のみでもメールのみでもよい。
【０１００】
また、上述した実施形態においては、出力条件を複数記憶し、それらの中からいずれかの出力条件を利用するようにしたが、より簡易に常に１つの出力条件のみを利用するようにしてもよい。同様に、出力タイミング、充電予定時間算出、通信状況変更であっても、より簡易に常に１つの出力タイミング、充電予定時間算出、通信状況変更を利用するようにしてもよい。
【０１０１】
外部装置、設置装置としては充電台８や充電ケーブル７に限らず、例えば、充電機能の無い設置台など、携帯電話機１と接続可能な任意の外部装置、設置装置であってもよい。
その他、通信端末装置としては携帯電話機１に限らず、例えば、パーソナルコンピュータ、ＰＤＡ、デジタルカメラ、音楽プレイヤーなど、通信機能を備える任意の端末装置であってもよい。
【０１０２】
以下、本発明の特徴を付記する。
上記の実施形態の一部又は全部は、以下の付記のようにも記載されうるが、以下には限られない。
（付記１）
付記１記載の発明は、通信手段を備える通信端末装置を設置する設置装置であって、前記通信手段の通信状況を検出する通信検出手段と、この通信検出手段によって検出された通信状況を示す出力信号を出力する出力手段と、を具備したことを特徴とする設置装置であるである。
【０１０３】
（付記２）
前記出力手段は、前記通信検出手段によって困難な通信状況であることが検出された場合に、その困難である旨を示す出力信号を出力する、ようにしたことを特徴とする付記１に記載の設置装置である。
【０１０４】
（付記３）
前記出力手段によって出力された出力信号に基づいて報知を行う報知手段を更に備え、前記出力手段は、前記通信状況を示す出力信号を前記報知手段に対して出力する、ようにしたことを特徴とする付記１または２に記載の設置装置である。
【０１０５】
（付記４）
前記通信端末装置の設置に応じて前記通信手段から出力される通信状況を示す出力信号を受信する受信手段を更に備え、前記通信検出手段は、前記受信手段によって受信された出力信号に基づいて前記通信手段の通信状況を検出する、ようにしたことを特徴とする付記１から３のいずれかに記載の設置装置である。
【０１０６】
（付記５）
前記通信端末装置の設置を検出する設置検出手段を更に備え、前記出力手段は、前記設置検出手段によって通信端末装置の設置が検出された際に、前記通信状況を示す出力信号を出力する、ようにしたことを特徴とする付記１から４のいずれかに記載の設置装置である。
【０１０７】
（付記６）
前記出力手段による出力を指示する指示手段を更に備え、前記出力手段は、前記指示手段によって報知を指示された場合に、前記通信状況を示す出力信号を出力する、ようにしたことを特徴とする付記１から５のいずれかに記載の設置装置である。
【０１０８】
（付記７）
前記通信検出手段による通信状況の検出結果に基づいて前記通信状況を変更する変更手段を更に備える、ようにしたことを特徴とする付記１から６のいずれかに記載の設置装置である。
【０１０９】
（付記８）
コンピュータに対して、設置される通信端末装置側に備えられている通信手段の通信状況を検出する機能と、前記検出された通信状況を示す出力信号を出力する機能と、を実現させるためのプログラムである。
【符号の説明】
【０１１０】
１  携帯電話機
２  無線通信網
３  メール管理装置
４  インターネット
５  テレビ局・ラジオ局
７  充電ケーブル
８  充電台
８Ｂ  台座
１１  中央制御部
１２  記憶部
１３  無線通信部
１５  アンテナ部
１６  放送受信部
１７  アンテナ可動部
１８  表示部
１９  操作部
２０  ＲＴＣ
２１  報知部
２２  ヒンジ可動部
２３  充電台接続部
２４  電池部
２５  充電ケーブル接続部
３１  中央制御部
３２  記憶部
３３  携帯電話機接続部
３４  充電ケーブル接続部
３５  表示部
３６  外部アンテナ可動部
３７  台座可動部
３８  外部アンテナ部
３９  操作部
３９Ａ  確認キー
Ｍ１、Ｍ１０  プログラム記憶部
Ｍ２  通話履歴記憶部
Ｍ３  メール記憶部
Ｍ４  予約情報記憶部
Ｍ５  充電履歴記憶部
Ｍ６  出力タイミング記憶部
Ｍ７  出力条件記憶部
Ｍ８  充電予定時間算出情報記憶部
Ｍ９  変更情報記憶部
【図１】
0005633943.tif 000002
【図２】
0005633943.tif 000003
【図３】
0005633943.tif 000004
【図４】
0005633943.tif 000005
【図５】
0005633943.tif 000006
【図６】
0005633943.tif 000007
【図７】
0005633943.tif 000008
【図８】
0005633943.tif 000009
【図９】
0005633943.tif 000010
【図１０】
0005633943.tif 000011
【図１１】
0005633943.tif 000012
【図１２】
0005633943.tif 000013
【図１３】
0005633943.tif 000014
【図１４】
0005633943.tif 000015
【図１５】
0005633943.tif 000016
【図１６】
0005633943.tif 000017
【図１７】
0005633943.tif 000018
【図１８】
0005633943.tif 000019
【図１９】
0005633943.tif 000020
【図２０】
0005633943.tif 000021
【図２１】
0005633943.tif 000022
【図２２】
0005633943.tif 000023
【図２３】
0005633943.tif 000024